(57)【要約】【課題】インクジェット記録用インクに着色剤として同系色の顔料及び染料を併用した際に、着色剤の凝集がなく、記録物の耐水性にも問題がなく、記録物の光学濃度の低下も引き起こさないインクジェット記録用インクを提供する。【解決手段】顔料及び染料を含有するインクジェット記録用インクにおいて、スルホン酸基、スルホフェニル基又はそれらの塩で表面修飾された自己分散型顔料を使用し、染料としてアニオン性水溶性染料を使用する。この顔料及び染料は同系色であり、染料のインクジェット記録用インク全量中における配合量は０．５重量％〜５．５重量％、顔料のインクジェット記録用インク全量中における配合量は０．５重量％〜５．５重量％である。【選択図】なし【特許請求の範囲】
【請求項１】
顔料及び染料を含有するインクジェット記録用インクであって、前記顔料がスルホン酸基、スルホフェニル基又はそれらの塩で表面修飾された自己分散型顔料、前記染料がアニオン性水溶性染料であり、前記顔料及び前記染料が同系色であり、前記染料のインクジェット記録用インク全量中における配合量が０．５重量％〜５．５重量％、前記顔料のインクジェット記録用インク全量中における配合量が０．５重量％〜５．５重量％であるインクジェット記録用インク。
【請求項２】
前記染料のインクジェット記録用インク全量中における配合量が１重量％〜５重量％、前記顔料のインクジェット記録用インク全量中における配合量が１重量％〜５重量％である請求項１に記載のインクジェット記録用インク。
【請求項３】
前記顔料及び前記染料がシアン色の同系色である場合に、それらのＬ＊ａ＊ｂ＊表色系における色相角が２１５°〜２５５°である請求項１又は２記載のインクジェット記録用インク。
【請求項４】
前記顔料及び前記染料がマゼンタ色の同系色である場合に、それらのＬ＊ａ＊ｂ＊表色系における色相角が３２０°〜３６０°又は０°〜２０°である請求項１又は２記載のインクジェット記録用インク。
【請求項５】
前記顔料及び前記染料がイエロー色の同系色である場合に、それらのＬ＊ａ＊ｂ＊表色系における色相角が７０°〜１４０°である請求項１又は２記載のインクジェット記録用インク。
【請求項６】
前記顔料及び前記染料がブルー色の同系色である場合に、それらのＬ＊ａ＊ｂ＊表色系における色相角が２７０°〜２８５°である請求項１又は２記載のインクジェット記録用インク。
【請求項７】
前記顔料及び前記染料がレッド色の同系色である場合に、それらのＬ＊ａ＊ｂ＊表色系における色相角が２０°〜３５°である請求項１又は２記載のインクジェット記録用インク。
【請求項８】
前記顔料が、顔料の表面をスルホン酸基、スルホフェニル基又はそれらの塩で表面修飾したＣ．Ｉ．ピグメントイエロー７４、Ｃ．Ｉ．ピグメントイエロー１５５、Ｃ．Ｉ．ピグメントレッド１２２、Ｃ．Ｉ．ピグメントブルー１５：３又はＣ．Ｉ．ピグメントブルー１５：４である請求項１〜７のいずれかに記載のインクジェット記録用インク。
【発明の詳細な説明】
【技術分野】
【０００１】
本発明は、インクジェット記録用インクに関する。
【背景技術】
【０００２】
インクジェット記録用インクの着色剤として、顔料又は染料が用いられているが、顔料は耐水性、耐光性等の耐候性に富んではいるが、色の鮮やかさを意味する発色性に欠けるという欠点や、インク中で凝集し易く、インクの吐出性を低下させるという欠点を有する。他方、染料は発色性に優れ、また水溶性であることからインク中で凝集し難いが、耐候性に欠けるという欠点がある。そこで、これらの欠点を克服するために、インクジェット記録用インクの着色剤として、同色系の顔料と染料とを、顔料の水分散性を担保するための分散剤と共に併用することが提案されている（特許文献１及び２）。
【０００３】
【特許文献１】特開平８−２１８０１９号公報
【特許文献２】特開平８−２１８０２０号公報
【発明の開示】
【発明が解決しようとする課題】
【０００４】
しかしながら、特許文献１及び２に開示されているように、インクジェット記録用インクの着色剤として顔料及び染料を併用した場合、着色剤の凝集が生ずる場合や、記録物の耐水性に問題が生ずる場合があった。また、着色剤の記録紙繊維内部への浸透が促進され、記録物の光学濃度が低下する場合があった。
【０００５】
本発明は、以上の従来の課題を解決しようとするものであり、インクジェット記録用インクに着色剤として同系色の顔料及び染料を併用した際に、着色剤の凝集が生じず、記録物の耐水性にも問題がなく、記録物の光学濃度の低下も引き起こさないインクジェット記録用インクを提供することを目的とする。
【課題を解決するための手段】
【０００６】
本発明者は、顔料として特定の官能基で表面修飾した自己分散型顔料を使用し、他方、染料としてアニオン性水溶性染料を使用し、しかも、それぞれの配合量を特定の範囲内に収めることにより、上述の目的を達成できることを見出し、本発明を完成させた。
【０００７】
即ち、本発明は、顔料及び染料を含有するインクジェット記録用インクであって、前記顔料がスルホン酸基、スルホフェニル基又はそれらの塩で表面修飾された自己分散型顔料、前記染料がアニオン性水溶性染料であり、前記顔料及び前記染料が同系色であり、前記染料のインクジェット記録用インク全量中における配合量が０．５重量％〜５．５重量％、前記顔料のインクジェット記録用インク全量中における配合量が０．５重量％〜５．５重量％であるインクジェット記録用インクを提供する。
【発明の効果】
【０００８】
本発明のインクジェット記録用インクは、着色剤として同系色の顔料及び染料を使用するので、混色により発色性が低下することがない。また、それぞれを特定の配合量で使用するので、記録物の耐水性に問題が生じない。顔料としてスルホン酸基、スルホフェニル基又はそれらの塩で表面修飾された自己分散型顔料を使用し、染料としてアニオン性水溶性染料を使用する。このように顔料及び染料が共にアニオン性であるので、イオン結合して凝集することがなく、また、顔料が自己分散型顔料であるから、分散剤を使用しなくてもインク中において顔料を良好に分散させることができ、過剰な分散剤の配合による記録物の光学濃度の低下を防止することができる。
【発明を実施するための最良の形態】
【０００９】
本発明のインクジェット記録用インクは、着色剤として顔料及び染料を含有する。ここで、顔料は、スルホン酸基、スルホフェニル基又はそれらの塩で表面修飾された自己分散型顔料であり、染料はアニオン性水溶性染料である。
【００１０】
本発明で使用する自己分散型顔料とは、分散剤を使用しなくても水に容易に分散しうる顔料であり、顔料表面がスルホン酸基、スルホフェニル基（特にｐ−スルホフェニル基）又はそれらの塩（例えば、ナトリウム塩等）で修飾されたカーボンブラック又は有機顔料である。
【００１１】
本発明で使用するような自己分散型顔料は、顔料にスルホン化処理等の表面処理を施す等の公知の方法を用いることにより得られる。例えば、顔料表面のスルホン化処理は、スルホン化ピリジン塩、アミド硫酸、フルオロ硫酸、クロロ硫酸、三酸化硫黄、発煙硫酸、硫酸等のスルホン化剤と共に顔料を加熱処理したのち、水洗する方法により行うことができる。
【００１２】
自己分散型顔料の原料となるカーボンブラックは、チャネルブラック法、ファーネスブラック法、アセチレンブラック法等の種々の方法によって製造される顔料であり、酸性カーボン、中性カーボン、塩基性カーボンのいずれもが使用できる。カーボンブラックとして、三菱化学（株）製のＭＡ−７、ＭＡ−８、ＭＡ−１００、＃２２００Ｂ、＃２６００、ＭＣＦ８８、Ｎｏ．１０Ｂ、Ｎｏ．３３、Ｎｏ．４０、Ｎｏ．４０００Ｂ、Ｎｏ．５２及びＣＦ−９等；キャボット社製のＲｅｇａｌ  ４００Ｒ、６６０Ｒ、３３０Ｒ及びＭＯＧＵＬ  Ｌ等；デグサ社製のＣｏｌｏｒ  Ｂｌａｃｋ  ＦＷ１、ＦＷ１８、Ｓ１７０、Ｓ１５０、Ｐｒｉｎｔｅｘ  Ｕ及び３５等；コロンビアカーボン社製のＲＥＶＥＮ１２５５等を例示できる。
【００１３】
自己分散型顔料の原料となる有機顔料としては、トルイジンレッド、トルイジンマルーン、ハンザエロー、ベンジジンエロー、ピラゾロンレッド等の不溶性アゾ系顔料；リトールレッド、ヘリオボルドー、ピグメントスカーレット、パーマネントレッド２Ｂ等の不溶性アゾ系顔料；アリザリン、インダントロン、チオインジゴマルーン等の建染染料からの誘導体；フタロシアニンブルー、フタロシアニングリーン等のフタロシアニン系顔料；キナクリドンレッド、キナクリドンマゼンタ等のキナクリドン系顔料；ペリレンレッド、ペリレンスカーレット等のペリレン系顔料；イソインドリノンエロー、イソインドリノンオレンジ等のイソインドリノン系顔料；イソインドリン系顔料；ピランスロンレッド、ピランスロンオレンジ等のピランスロン系顔料；チオインジゴ系顔料；縮合アゾ系顔料；ベンズイミダゾロン系顔料；フラバンスロンエロー、アシルアミドエロー、キノフタロンエロー、ニッケルアゾエロー、銅アゾメチンエロー、ペリノンオレンジ、アンスロンオレンジ、ジアンスラキノニルレッド、ジオキサジンバイオレット等が例示できる。  なかでも、キナクリドン系顔料、フタロシアニン系顔料、ベンズイミダゾロン系顔料、イソインドリノン系顔料及びキノフタロン系顔料からなる群より選ばれる少なくとも１種の有機有色顔料を用いることが耐光性等の点から好ましい。中でも、Ｃ．Ｉ．ピグメントイエロー７４、Ｃ．Ｉ．ピグメントイエロー１５５、Ｃ．Ｉ．ピグメントレッド１２２、Ｃ．Ｉ．ピグメントブルー１５：３、Ｃ．Ｉ．ピグメントブルー１５：４を好ましく使用できる。
【００１４】
本発明で使用する自己分散型顔料の粒子径は、大きすぎるとインクの保存中に顔料が沈降することが懸念され、小さすぎると顔料粒子の凝集が生じ、インク中に安定に分散することが困難になることが懸念されるので、平均粒子径が、好ましくは１０ｎｍ〜１５０ｎｍ、より好ましくは７０ｎｍ〜１３０ｎｍである。
【００１５】
他方、本発明で使用するアニオン性水溶性染料は、以下に示すようなアニオン性水溶性染料から適宜選択して使用することができる。
【００１６】
（アニオン性イエロー水溶性染料）
Ｃ．Ｉ．ダイレクトイエロー１、２、４、８、１１、１２、２６、２７、２８、３３、３４、３９、４１、４４、４８、５０、５８、８５、８６、８７、８８、８９、９８、１００、１１０、１３２、１３５、１４２及び１４４等；Ｃ．Ｉ．アシッドイエロー１、３、４、７、１１、１２、１３、１４、１７、１９、２３、２５、２９、３４、３６、３８、４０、４１、４２、４４、５３、５５、６１、７６、７９、９８及び９９等；Ｃ．Ｉ．リアクティブイエロー１、２、３、４、６、７、１１、１２、１３、１４、１５、１６、１７、１８、２２、２３、２４、２５、２６、２７、３７及び４２等；Ｃ．Ｉ．フードイエロー３等
【００１７】
（アニオン性マゼンタ水溶性染料）
Ｃ．Ｉ．ダイレクトレッド１、２、４、８、９、１１、１３、１５、２０、２３、２４、２８、３１、３３、３７、３９、４６、５１、５９、６２、６３、７３、７５、７９、８０、８１、８３、８７、８９、９０、９５、９９、１０１、１１０、１８９、１９７、２０１、２１８、２２０、２２４、２２５、２２６、２２７、２２８、２２９及び２３０等；Ｃ．Ｉ．アシッドレッド１、４、６、８、９、１３、１４、１５、１８、２１、２６、２７、３２、３５、３７、４２、５１、５２、８０、８３、８７、８９、９２、１０６、１１４、１１５、１３３、１３４、１４５、１５８、１９８、２４９、２５７、２６５及び２８９等；Ｃ．Ｉ．リアクティブレッド１、２、３、４、５、６、７、８、１１、１２、１３、１５、１７、１９、２０、２１、２２、２３、２４、２８、２９、３１、３２、３３、３４、３５、３６、３７、３８、３９、４０、４１、４２、４３、４４、４５、４６、４７、４８、４９、５０、５８、５９、６３、６４及び１８０等；Ｃ．Ｉ．フードレッド８７、９２及び９４等
【００１８】
（アニオン性シアン水溶性染料）
Ｃ．Ｉ．ダイレクトブルー１、２、６、８、１５、２２、２５、３４、４１、７０、７１、７６、７７、７８、８０、８６、９０、９８、１０６、１０８、１２０、１４２、１５８、１６３、１６８、１９９、２００、２０１、２０２、２０３、２０７、２１８、２２６、２３６及び２８７等；Ｃ．Ｉ．アシッドブルー１、７、９、１５、２２、２３、２５、２７、２９、４０、４３、５５、５９、６２、７４、７８、８０、８１、９０、１００、１０２、１０４、１１１、１１７、１２７、１３８、１５８、１６１、１８５及び２５４等；Ｃ．Ｉ．リアクティブブルー１、２、３、４、５、７、８、９、１３、１４、１５、１７、１８、１９、２０、２１、２５、２６、２７、２８、２９、３２、３３、３４、３７、３８、３９、４０、４１、４３、４４、４６及び１００等
【００１９】
（アニオン性ブラック水溶性染料）
Ｃ．Ｉ．ダイレクトブラック７、１９、２２、３１、３２、５１、６２、７１、７４、１１２、１１３、１５４、１６８及び１９５等；Ｃ．Ｉ．アシッドブラック２、４８、５１、５２、１１０、１１５及び１５６等；Ｃ．Ｉ．フードブラック１及び２
【００２０】
本発明のインクジェット記録用インクにおいて、使用する顔料及び染料は同系色である。ここで、同系色とは、顔料及び染料それぞれの表現できる色相角の値が大きく離れていないという意味である。具体的には、顔料及び染料がシアン色の同系色である場合には、それらのＬ＊ａ＊ｂ＊表色系における色相角が２１５°〜２５５°であることが好ましい。使用する顔料及び染料がマゼンタ色の同系色である場合には、それらのＬ＊ａ＊ｂ＊表色系における色相角が３２０°〜３６０°又は０°〜２０°であることが好ましい。使用する顔料及び染料がイエロー色の同系色である場合には、それらのＬ＊ａ＊ｂ＊表色系における色相角が７０°〜１４０°であることが好ましい。使用する顔料及び染料がブルー色の同系色である場合には、それらのＬ＊ａ＊ｂ＊表色系における色相角が２７０°〜２８５°であることが好ましい。使用する顔料及び染料がレッド色の同系色である場合には、それらのＬ＊ａ＊ｂ＊表色系における色相角が２０°〜３５°であることが好ましい。
【００２１】
本発明において、染料及び顔料のインクジェット記録用インク全量中におけるそれぞれの配合量は、少なすぎると必要とする光学濃度を得ることができなくなり、多すぎるとインクジェットヘッドのノズルの目詰まりの原因となるので、好ましくは０．５重量％〜５．５重量％であり、好ましくは１重量％〜５重量％である。
【００２２】
本発明のインクジェット記録用インクは、同系色の顔料及び染料に加えて、溶媒として、水及び水溶性有機溶媒を含有する。
【００２３】
水としては、純水又は脱イオン水を使用することが好ましい。水の配合量は、水溶性有機溶媒の種類及び組成、所望のインク特性に応じて広い範囲で決定されるが、インクジェット記録用インク全量に対して、一般に１０重量％〜９５重量％、好ましくは１０重量％〜８０重量％、より好ましくは２０重量％〜８０重量％である。
【００２４】
水溶性有機溶媒は、主としてインクジェットヘッドの先端部におけるインクの乾燥防止効果を有する湿潤剤と、紙面での乾燥速度を調整する浸透剤とに分類される。湿潤剤としては特に限定されず、例えば、メチルアルコール、エチルアルコール、ｎ−プロピルアルコール、イソプロピルアルコール、ｎ−ブチルアルコール、ｓｅｃ−ブチルアルコール、ｔｅｒｔ−ブチルアルコール等の低級アルコール；ジメチルホルムアミド、ジメチルアセトアミド等のアミド；アセトン、ジアセトンアルコール等のケトン又はケトアルコール；テトラヒドロフラン、ジオキサン等のエーテル；ポリエチレングリコール、ポリプロピレングリコール等のポリアルキレングリコール；エチレングリコール、プロピレングリコール、ブチレングリコール、ジエチレングリコール、トリエチレングリコール、ジプロピレングリコール、トリプロピレングリコール、チオジグリコール、ヘキシレングリコール等のアルキレングリコール；グリセリン；２−ピロリドン；Ｎ−メチル−２−ピロリドン；１，３−ジメチル−２−イミダゾリジノン等を挙げることができる。なかでも、アルキレングリコール、グリセリン等の多価アルコールが好適である。
【００２５】
湿潤剤の配合量は、インクジェット記録用インク全量に対して、一般には０〜９５重量％、好ましくは５重量％〜８０重量％、より好ましくは５重量％〜５０重量％である。
【００２６】
浸透剤としては特に限定されず、例えば、エチレングリコールメチルエーテル、エチレングリコールエチルエーテル、エチレングリコールプロピルエーテル、ジエチレングリコールメチルエーテル、ジエチレングリコールエチルエーテル、ジエチレングリコールプロピルエーテル、ジエチレングリコールブチルエーテル、トリエチレングリコールメチルエーテル、トリエチレングリコールエチルエーテル、トリエチレングリコールプロピルエーテル、トリエチレングリコールブチルエーテル、プロピレングリコールメチルエーテル、プロピレングリコールエチルエーテル、プロピレングリコールプロピルエーテル、プロピレングリコールブチルエーテル、ジプロピレングリコールメチルエーテル、ジプロピレングリコールエチルエーテル、ジプロピレングリコールプロピルエーテル、ジプロピレングリコールブチルエーテル、トリプロピレングリコールメチルエーテル、トリプロピレングリコールエチルエーテル、トリプロピレングリコールプロピルエーテル、トリプロピレングリコールブチルエーテル等のグリコール系エーテルを挙げることができる。
【００２７】
浸透剤の配合量は、過剰であると、インクの紙への浸透性が高くなりすぎて滲みの原因となってしまうことがあるので、インクジェット記録用インク全量に対して、一般には０〜２０重量％、好ましくは０．１重量％〜１５重量％、より好ましくは０．２重量％〜１０重量％である。
【００２８】
本発明のインクジェット記録用インクは、更に必要に応じて、ポリビニルアルコール、ポリビニルピロリドン及び水溶性樹脂等の粘度調整剤；表面張力調整剤；防黴剤；ｐＨ調整剤等の従来公知の添加剤を含有していてもよい。
【００２９】
本発明のインクジェット記録用インクは、同系色の顔料及び染料と、更に水及び水溶性有機溶剤等の他の添加成分とを、均一に混合し、フィルターで不溶解物を除去することにより調製することができる。
【００３０】
本発明のインクジェット記録用インクは、従来公知のインクジェットプリンターのインクカートリッジに充填し、インクジェット記録に使用することができる。
【実施例】
【００３１】
実施例Ｙ１〜Ｙ１０、比較例Ｙ１〜Ｙ６
実施例Ｍ１〜Ｍ１０、比較例Ｍ１〜Ｍ８
実施例Ｃ１〜Ｃ１０、比較例Ｃ１〜Ｃ６
表１〜表６に記載された成分を均一に混合することによりインクジェット記録用インクを調製した。なお、実施例及び比較例で使用した顔料は、スルホン酸基で表面修飾された自己分散型顔料である。
【００３２】
＜凝集の有無（分散性の評価）＞
得られたインクジェット記録用インクをガラス瓶に入れ密封し、６０℃の環境下に１４日間放置した。その放置後、インクをガラス瓶から取り出し、２００倍の光学顕微鏡によって着色剤の凝集の有無を観察した。凝集が観察されなかった場合を「Ｇ」と評価し、観察された場合を「ＮＧ」と評価した。得られた結果を表１〜表６に示す。
【００３３】
＜発色性の評価＞
得られたインクジェット記録用インクを、普通紙（ＤＡＴＡ  ＣＯＰＹ紙、Ｍ−ｒｅａｌ社）にバーコータを用いておおよそ２０ｇ／ｍ２の割合でおおよそ横５ｃｍ×縦１０ｃｍの領域に塗布、乾燥し、サンプルを作成した。
得られた各サンプルについて、光学濃度計（ＲＤ−９１４、Ｍａｃｂｅｔｈ社：光源Ｄ６５、視野２°）を用いて光学濃度を測定し、基準となる光学濃度（比較例Ｙ１、Ｙ３、Ｍ１、Ｍ５，Ｃ１又はＣ３のインクジェット記録用インクを用いて作成されたサンプルの光学濃度）に対する増加率を算出した。得られた結果を表１〜表６に示す。
【００３４】
また、得られた各サンプルについて、分光測色計（ＳＣ−Ｔ、スガ試験機（株）製：光源Ｄ６５、視野２°）を用いて彩度Ｃ＊（＝｛(ａ＊)2＋(ｂ*)2｝1/2）を測定、算出し、基準となる彩度Ｃ＊（比較例Ｙ１、Ｙ３、Ｍ１、Ｍ５、Ｃ１又はＣ３のインクジェット記録用インクを用いて作成されたサンプルの彩度Ｃ＊）に対する増加率を算出した。得られた結果を表１〜表６に示す。増加率が高いほど、発色性が良好なことを意味する。
【００３５】
さらに、光学濃度増加率および彩度（Ｃ＊）増加率を以下の評価基準に従って評価し、発色性評価とした。
【００３６】
発色性評価ランク
Ａ：  光学濃度の増加率及び彩度の増加率がいずれも２０％以上の場合
Ｂ：  光学濃度の増加率及び彩度の増加率がいずれも０％を超えたが、少なくとも一方が２０％未満の場合
Ｃ：  光学濃度の増加率及び彩度の増加率がいずれも０％以上であったが、少なくとも一方が変化しなかった場合
Ｄ：  光学濃度の増加率及び彩度の増加率の少なくとも一方が増加せずに減少した場合
【００３７】
＜耐水性の評価＞
発色性の評価に使用したサンプルと同様に作成したサンプルを、水道水に５分間浸漬した後に引き上げ、インクの滲みの有無を目視にて観察し、以下の評価基準に従って評価した。得られた結果を表１〜表６に示す。
【００３８】
耐水性評価ランク
Ａ：  滲みがない場合
Ｂ：  一部領域において不明瞭な滲みらしき陰が観察された場合
Ｃ：  一部領域において滲みが観察された場合
Ｄ：  全領域において滲みが観察された場合
【００３９】
＜総合評価＞
分散性、発色性及び耐水性の各評価項目の評価結果を、以下の基準に照らし総合評価した。得られた結果を表１〜表６に示す。
【００４０】
総合評価ランク
Ａ：  全ての評価結果が「Ａ」と「Ｇ」である場合
Ｂ：  評価結果に「Ｃ」、「Ｄ」及び「ＮＧ」はなかったが、一つでも「Ｂ」があった場合
Ｃ：  評価結果に「Ｄ」及び「ＮＧ」はなかったが、一つでも「Ｃ」があった場合
Ｄ：  評価結果に一つでも「Ｄ」又は「ＮＧ」があった場合
【００４１】
【表１】
2009179738.tif 000002
【００４２】
【表２】
2009179738.tif 000003
【００４３】
【表３】
2009179738.tif 000004
【００４４】
【表４】
2009179738.tif 000005
【００４５】
【表５】
2009179738.tif 000006
【００４６】
【表６】
2009179738.tif 000007
【００４７】
（考察）
表１〜表６から、スルホン酸基で表面修飾された自己分散型顔料と、それと同系色のアニオン性水溶性染料とを、それぞれ０．５重量％〜５．５重量％の範囲で使用した実施例（Ｙ１〜Ｙ１０、Ｍ１〜Ｍ１０、Ｃ１〜Ｃ１０）のインクジェット記録用インクは、いずれも総合評価が「Ａ」又は「Ｂ」であり、良好な結果であった。
【００４８】
それに対し、スルホン酸基で表面修飾された自己分散型顔料と、それと同系色のアニオン性水溶性染料とを使用したが、自己分散型染料を６重量％使用した比較例（Ｍ３、Ｍ４）は、顔料が多すぎて被記録媒体である普通紙のセルロース繊維に充分保持できなかった顔料が水で流れたため、耐水性に問題があった。他方、アニオン性水溶性染料を６重量％使用した比較例（Ｙ２、Ｙ４、Ｍ２、Ｍ６、Ｃ２、Ｃ４）の場合にも、水溶性染料が水に流れたため、耐水性に問題があった。なお、カチオン性染料を使用した比較例（Ｙ５、Ｙ６、Ｍ７、Ｍ８、Ｃ５、Ｃ６）の場合には、インク中において顔料及び染料の凝集が生じた。
【産業上の利用可能性】
【００４９】
本発明のインクジェット記録用インクは、良好な発色性を示し、記録物の耐水性にも問題を生じさせないため、インクジェット記録用インクとして有用である。